(57)【要約】【課題】  携帯端末の利用者に対して、大型画像を適切に提供することを可能にした画像情報配信システムを提供する。【解決手段】  異なった場所に配置された複数の表示装置に情報を配信して表示させる画像情報配信サーバー１５を備えた画像情報配信システム１０において、画像情報配信サーバー１５は、携帯電話２０からの位置情報及びコンテンツ情報を収集する携帯端末情報収集部と、携帯端末情報収集部により取得された位置情報に基づいてプロジェクションシステム１３を選択する表示装置選択部と、表示装置選択部により選択されたプロジェクションシステム１３に対して、コンテンツ情報に基づいてコンテンツを収集して送信する情報収集配信部とを備えたものである。【選択図】        図１
2005322131.tif 000002
【特許請求の範囲】
【請求項１】
異なった場所に配置された複数の表示装置に情報を配信して表示させる画像情報配信サーバーを備えた画像情報配信システムにおいて、前記画像情報配信サーバーは、
携帯端末からの位置情報及びコンテンツ情報を収集する携帯端末情報収集部と、
該携帯端末情報収集部により取得された位置情報に基づいて前記表示装置を選択する表示装置選択部と、
前記表示装置選択部により選択された表示装置に対して、前記コンテンツ情報に基づいたコンテンツを収集して送信する情報収集配信部と
を備えたことを特徴とする画像情報配信システム。
【請求項２】
前記携帯端末情報収集部は、コンテンツ情報としてＵＲＬを収集することを特徴とする請求項１記載の画像情報配信システム。
【請求項３】
前記情報収集配信部は、前記ＵＲＬに基づいて、インターネットを介してコンテンツサーバーから該当するコンテンツを収集することを特徴とする請求項２記載の画像情報配信システム。
【請求項４】
前記表示装置としてプロジェクションシステムを用い、前記情報収集配信部は、前記プロジェクションシステムに前記コンテンツを送信することを特徴とする請求項１〜３の何れかに記載の画像情報配信システム。
【請求項５】
前記携帯端末情報収集部は、前記携帯端末に内蔵されているＧＰＳ機能による位置情報を収集することを特徴とする請求項１〜４の何れかに記載の画像情報配信システム。
【請求項６】
異なった場所に配置された複数の表示装置に情報を配信して表示させる画像情報配信サーバーを備えた画像情報配信システムにおいて、前記画像情報配信サーバーは、
携帯端末からのコンテンツ情報及び前記表示装置の選択情報を収集する携帯端末情報収集部と、
前記表示装置の選択情報に対応した表示装置に対して、前記コンテンツ情報に基づいたコンテンツを収集して送信する情報収集配信部と
を備えたことを特徴とする画像情報配信システム。
【請求項７】
前記携帯端末からの制御信号を受信して、前記表示装置を制御する表示装置制御部を更に備えたことを特徴とする請求項１〜６の何れかに記載の画像情報配信システム。
【請求項８】
前記情報収集配信部は、前記携帯端末からの画像配信要求に基づいて情報を配信するとき以外は、店舗情報及び／又は各種広告又は地域の情報を配信して前記表示装置に表示させることを特徴とする請求項１〜７の何れかに記載の画像情報配信システム。
【請求項９】
前記携帯端末の利用者に対して課金するための処理をする課金サーバーを更に備え、前記画像情報配信サーバーは、前記表示装置に配信するのに要した通信時間、コンテンツの容量及び／又は前記表示装置の大きさに基づいて、前記携帯端末の利用者に課金するための課金情報を前記課金サーバーに供給する課金処理部を更に備えたことを特徴とする請求項１〜８の何れかに記載の画像情報配信システム。
【発明の詳細な説明】
【技術分野】
【０００１】
本発明は、携帯電話等の携帯端末を所持する利用者からの画像配信要求があったときにその要求に対応した画像情報を配信する画像情報配信システムに関する。
【背景技術】
【０００２】
従来から携帯電話に対して画像情報を提供してそれを再生させるサービスがあったが、これでは、画面サイズ、通信速度及び携帯電話のサイズのバランスに限界があった。即ち、携帯電話では大容量の画像情報を表示することは難しかった。このようなことから、例えば「移動端末を所持する利用者に対して、情報提供者が複数の表示装置のいずれかを特定して、所望の提供情報を配信する情報配信システムであって、前記移動端末の位置情報を収集する端末位置情報収集部と、この端末位置情報収集部で取得された位置情報に基づいて、いずれかの表示装置を選択する表示装置選択部と、この表示装置選択部で選択された表示装置に前記提供情報を配信する情報配信部とを備えていることを特徴とする情報配信システム。」が提案されている（特許文献１参照）。
【０００３】
また、「利用者がメッセージを広告板に表示する広告方法であって、メッセージ表示可能な利用時間、利用時間内で使用可能な認証ターム、および検閲条項をセンターサーバーで生成すること、センターサーバーから送信されてきた前記利用時間および認証タームを広告板で告知すること、利用者は情報処理端末で前記認証タームとともにメッセージをセンターサーバーに送信すること、前記センターサーバーは前記認証タームを認証し、メッセージを前記検閲条項に従って検閲したのち、メッセージを広告板に送信すること、センターサーバーから送信されてきたメッセージを前記利用時間に広告板に表示することからなることを特徴とする広告方法。」が提案されている（特許文献２参照）。
【０００４】
【特許文献１】特開２００２−８２８５８号公報（請求項１等）
【特許文献２】特開２００２−９９８１４号公報（請求項１等）
【発明の開示】
【発明が解決しようとする課題】
【０００５】
上記の従来の技術（特許文献１）においては、情報提供者が利用者の位置に応じて表示情報を選択しており、利用者には表示情報の選択権がなく、利用者にとって必ずしも有用な情報は得られなかった。また、利用者の位置情報がどのタイミングで送信されているのか明記されておらず、仮に、一定の時間間隔でその都度、位置情報を送信しているとしたならば、不特定多数の情報提供者に利用者の位置情報を開示することになり、プライバシー上問題がある。
【０００６】
また、上記の従来の技術（特許文献２）においては、広告事業主が参加者を募る形態で、広告効果の向上を図る手段として利用者の参加方法を発案したものであり、情報提供者の利便性に応えるものであり、不特定多数の利用者の利便性に応えるものではなかった。
【０００７】
本発明は、上記の問題点を解決するためになされたものであり、携帯端末の利用者に対して、大型画像を適切に提供することを可能にした画像情報配信システムを提供することを目的とする。
【課題を解決するための手段】
【０００８】
本発明に係る画像情報配信システムは、異なった場所に配置された複数の表示装置に情報を配信して表示させる画像情報配信サーバーを備えた画像情報配信システムにおいて、前記画像情報配信サーバーは、携帯端末からの位置情報及びコンテンツ情報を収集する携帯端末情報収集部と、該携帯端末情報収集部により取得された位置情報に基づいて前記表示装置を選択する表示装置選択部と、前記表示装置選択部により選択された表示装置に対して、前記コンテンツ情報に基づいたコンテンツを収集して送信する情報収集配信部とを備えたものである。本発明によれば、携帯端末からの位置情報に基づいて表示装置が自動的に選択され、その選択された表示装置に対してコンテンツ情報に基づいたコンテンツが送信され、表示されるので、携帯端末の利用者に対して大型画像が適切に提供されることが可能になっている。即ち、携帯端末の利用者が希望するコンテンツを、予め設置されている表示装置により大画面にて表示するようにしたので、非常に見易いものとなっている。特に、利用者にとって、大画面で迫力のある映像が得られる。また、携帯端末の位置情報及びコンテンツ情報を送信し、画像情報配信サーバーからコンテンツを送信するようにしたので、携帯端末の通信速度の制約や画面サイズの制約が解消されている。更に、携帯端末の位置情報は、コンテンツの送信を要求したときにのみ、利用者が契約した通信会社に把握されるだけであり、利用者が契約した通信会社以外には把握されず、且つ定常的に把握されるものではないので、その限りにおいてプライバシーが保護される。
【０００９】
また、本発明に係る画像情報配信システムにおいて、前記携帯端末情報収集部はコンテンツ情報としてＵＲＬを収集する。このため、情報収集配信部はこのＵＲＬに基づいてコンテンツを収集することになるが、現在普及されているインターネットのコンテンツサーバーを利用することが可能になっている。
【００１０】
また、本発明に係る画像情報配信システムにおいて、前記情報収集配信部は、前記ＵＲＬに基づいて、インターネットを介してコンテンツサーバーから該当するコンテンツを収集する。このため、既存のコンテンツサーバーを利用することが可能になっている。
【００１１】
また、本発明に係る画像情報配信システムは、前記表示装置としてプロジェクションシステムを用い、前記情報収集配信部は、前記プロジェクションシステムに前記コンテンツを送信する。前記表示装置としてプロジェクションシステムを用いたので、設置位置や設置方法に自由度があり、且つ、設置場所の景観や雰囲気を損なわない。
【００１２】
また、本発明に係る画像情報配信システムにおいて、前記端末情報収集部は、前記携帯端末に内蔵されているＧＰＳ機能による位置情報を収集する。位置情報としてＧＰＳ機能による位置情報を収集するので、利用者の位置を高精度に把握することができる。
【００１３】
また、本発明に係る画像情報配信システムにおいて、異なった場所に配置された複数の表示装置に情報を配信して表示させる画像情報配信サーバーを備えた画像情報配信システムにおいて、前記画像情報配信サーバーは、携帯端末からのコンテンツ情報及び前記表示装置の選択情報を収集する端末情報収集部と、前記表示装置の選択情報に対応する表示装置に対して、前記コンテンツ情報に基づいてコンテンツを収集して送信する情報収集配信部とを備えたものである。携帯端末により選択された表示装置に対してコンテンツを送信するようにしたので、携帯端末の位置情報を生成するための構成が不要となり、携帯端末の構成の簡素化が図られる。また、携帯端末の位置情報は、利用者が契約した通信会社を含めて通信会社には把握されず、利用者のプライバシーが保護される。
【００１４】
また、本発明に係る画像情報配信システムにおいて、前記画像情報配信サーバーは前記携帯端末からの制御信号を受信して、前記表示装置を制御する表示装置制御部を更に備えたものである。携帯端末がリモコンとして機能し、使い勝手のよいものとなっている。
【００１５】
また、本発明に係る画像情報配信システムにおいて、前記情報収集配信部は、前記携帯端末からの要請に基づいて情報を配信するとき以外は、店舗情報及び／又は各種広告又は地域の情報を配信して前記表示装置に表示させる。店舗情報、各種広告や地域の情報を再生するＰＯＰ機能を有しており、このため、通信会社（例えば携帯電話会社）にとっては、ＰＯＰシステムとして新しい広告媒体が得られる。また、通信会社は、携帯端末を利用して大画面を提供する新しいサービスを提供することができ、事業の拡大につながる。
【００１６】
また、本発明に係る画像情報配信システムは、前記携帯端末の利用者に課金するための処理をする課金サーバーを更に備え、前記画像情報配信サーバーは、前記表示装置に配信するのに要した通信時間、コンテンツの容量及び／又は前記表示装置の大きさに基づいて前記携帯端末の利用者に課金するための課金情報を前記課金サーバーに供給する課金処理部を更に備える。課金サーバーにより携帯端末の利用者に対して従来と同様な方法で課金処理するので、システムの複雑化が避けられる。
【発明を実施するための最良の形態】
【００１７】
実施形態１．
図１は本発明の実施形態１に係る画像情報配信システムの構成図である。この画像情報配信システム１０は、画像表示装置（プロジェクタ）１１及びこの画像表示装置１１に付設され、ウェブブラウザーが内蔵された端末コンピュータ１２からなるプロジェクションシステム１３と、携帯電話会社の課金のためのサーバー（以下、課金サーバーという）１４と、画像情報配信サーバー１５とを備えており、これらは、携帯電話会社のネットワーク１６を介して相互に接続されている。また、画像情報配信サーバー１５は、インターネット等のネットワーク１７を介してコンテンツサーバー１８と接続されている。更に、画像情報配信サーバー１５は、ネットワーク１６を介して携帯電話２０と接続可能になっている。
【００１８】
携帯電話２０は、ＧＰＳ（Global Positioning System）機能及びウェブ機能を持っており、ＧＰＳ（Global Positioning System）機能により現在地の位置情報（緯度情報及び経度情報）を、後述のように画像情報の提供を要求してからその処理が終了するまでの間、画像情報配信サーバー１５に出力する。プロジェクションシステム１３（画像表示装置１１及び端末コンピュータ１２）は、駅、公園、店頭等のパブリックスペースに設置され、画像情報配信サーバー１５から配信された画像情報は、ネットワーク１６を介して端末コンピュータ１２に入力し、画像表示装置１１によって大画面の投写画像として表示される。なお、プロジェクションシステム１３は、店舗情報、各種広告（例えば、商品広告や企業広告等）や地域の情報等を再生するＰＯＰ機能を有しており、画像情報配信サーバー１５からＰＯＰ機能に関連するコンテンツが配信されてきたときに、そのコンテンツを表示する。
【００１９】
課金サーバー１４は、携帯電話２０からの受信信号を受信するとその通話状態が終了するまでの間の時間や配信情報等に応じた課金を携帯電話２０の利用者に対してするものであり、このサーバー自体は従来から携帯電話２０の利用者に対して課金処理をしているものである。画像情報配信サーバー１５は、携帯電話２０からの画像情報の配信要求に応じて画像情報を配信するための各種の処理を行うものである。なお、この画像情報配信サーバー１５は本実施形態特有のものであり、後述の図３に基づいて詳細に説明する。
【００２０】
図２は携帯電話２０とプロジェクションシステム１３との関係を示した説明図である。プロジェクションシステム１３は、予め設定された複数のサービスポイントに設定されており、上述のように、通常の状態においては情報提供者から広告等に関する画像（映像）を表示しているが、携帯電話２０からの画像情報の配信要求があると、プロジェクションシステム１３はその配信要求に対応したコンテンツを店頭等に表示させる。なお、本実施形態１においては、コンテンツには必要に応じて音声信号も含まれており、プロジェクションシステム１３からは画像（映像）だけでなく音声も得られる。
【００２１】
図３は画像情報配信サーバー１５を中核としたシステムの説明図である。画像情報配信サーバー１５、携帯端末情報収集部３１、表示装置選択部３２、情報収集配信部３３、表示装置制御部３４、検閲部３５、課金処理部３６等の各種の制御機能と、各種コンテンツ等が収納されたデータベース３７を含んでおり、画像情報を配信するための各種の処理を行う。画像情報配信サーバー１５の携帯端末情報収集部３１は、例えば携帯電話２０から位置情報及びＵＲＬ等のコンテンツ情報を取り込む。そして、表示装置選択部３２は携帯電話２０からの位置情報に基づいてプロジェクションシステム１３を選択し、情報収集配信部３３はその選択されたプロジェクションシステム１３に対して例えばデータベース３７、コンテンツサーバー１８等から携帯電話２０からの要請に基づいたコンテンツを取り込んで配信する。また、表示装置制御部３４は携帯電話２０からの操作信号（制御信号）に基づいて、選択されたプロジェクションシステム１３を制御するものであり、例えば画面の早送りや停止等を行う。検閲部３５は配信対象のコンテンツが公衆の面前に表示されても不都合がないものであるかどうかを検閲するものであり、配信するのが不適切な場合には携帯電話２０に対してその旨を送信する。課金処理部３６はこの画像情報の配信についての費用を算出するための課金情報を生成するものであり、例えば通信時間、コンテンツの容量、プロジェクションシステム１３の画面の大きさなどに基づいて課金情報を生成し、課金サーバー１４に送信する。
【００２２】
図４（Ａ）（Ｂ）はデータベース３７に格納されているデータを示したものであり、同図（Ａ）はサービスポイント、そのサービスポイントの位置情報（緯度・経度）、そのサービスポイントに設置されているプロジェクションシステム１３の画面の大きさを示している。同図（Ｂ）はコンテンツの種類及びその配信料金を示している。これらの情報に基づいて、表示装置選択部３２によりプロジェクションシステム１３を選択したり、或いは課金処理部３６により課金情報を生成する。
【００２３】
図５は画像情報配信サービスシステムの処理過程を示したフローチャートである。携帯電話２０の利用者が視聴可能な場所までプロジェクションシステム１３に近づいて、携帯電話２０を操作して画像情報の配信要求と、視聴したいＵＲＬ等のコンテンツ情報を送信する。この画像配信要求に伴って、携帯電話２０は、内蔵されているＧＰＳによる位置情報についても自動的に継続して送信する。画像情報配信サーバー１５の携帯端末情報収集部３１が、携帯電話２０からの画像配信要求を受信すると（Ｓ１１）、上記の位置情報（緯度・経度）とＵＲＬ等のコンテンツ情報を取り込む（Ｓ１２）。なお、携帯電話２０からの画像配信要求があったときには、パスワードの認証等についてもなされるが、それは本実施形態の内容には関連しないので、ここではその説明は省略するものとする。表示装置選択部３２は、携帯電話２０の位置情報に基づいて画像情報の送信対象となるプロジェクションシステムを選択する（Ｓ１３）。即ち、携帯電話２０の位置情報に基づいて利用者の位置の近傍にあるサービスポイント（図４（Ａ）参照）のプロジェクションシステムを選択する。
【００２４】
情報収集配信部３３は、上記のコンテンツ情報に基づいてコンテンツを収集する。例えばデータベース３７、コンテンツサーバー１８等から該当するコンテンツを収集する（Ｓ１４）。そして、検閲部３５はそのコンテンツが適正なものかどうかを判断し（Ｓ１５）、適切なものではないと判断すると、その旨を携帯電話２０に対して送信して案内する（Ｓ１６）。情報収集配信部３３はそのコンテンツが適切なものであると判断すると、上記にて選択されたプロジェクションシステム１３に送信する（Ｓ１７）。プロジェクションシステム１３の端末コンピュータ１２はそのコンテンツを受信すると、画像表示装置（プロジェクタ）１１に対して例えば店頭に投射させてそのコンテンツを大画面で表示させる。また、画像情報配信サーバー１５とプロジェクションシステム１３との関係が一旦成立すると、次のような制御処理も行うことができる。
【００２５】
表示装置制御部３４は、携帯電話２０から制御信号、例えば画像表示装置（プロジェクタ）１１による表示画面の拡大、縮小、停止等についての制御信号を受信すると、その制御信号を端末コンピュータ１２に送信して、画像表示装置（プロジェクタ）１１による表示を制御させる。例えば表示画面の拡大、縮小、停止等を行うことができる。また、上記のコンテンツが大画面で表示されている最中に、携帯電話２０を操作して他の視聴したいＵＲＬ等のコンテンツ情報を送信すると、情報収集配信部３３はそのコンテンツ情報に対応したコンテンツを配信し、画像表示装置（プロジェクタ）１１により投射されて大画面で表示される。このように、携帯電話２０は画像表示装置（プロジェクタ）１１に対してリモコンと同様に機能する。
【００２６】
また、表示装置制御部３４が例えば携帯電話２０から停止信号を受信すると、情報収集配信部３３は上記のコンテンツの配信を停止して、予め設定されている広告情報を端末コンピュータ１２に送信して画像表示装置（プロジェクタ）１１によってその広告情報を表示させて広告板として機能させる。即ちＰＯＰ機能を発揮させる。また、表示装置選択部３２は、上記のコンテンツが大画面で表示されている最中に、携帯電話２０の利用者の位置がサービスポイントから離れてしまった場合には、上記のコンテンツを表示させる必要がないので、携帯電話２０から停止信号を受信した場合と同様に処理し、情報収集配信部３３は上記のコンテンツの配信を停止して、広告情報を端末コンピュータ１２に送信してＰＯＰ機能を発揮させる。
【００２７】
なお、画像情報配信サーバー１５の課金処理部３６は、上記のコンテンツ配信時間、選択されたプロジェクションシステム１３の画面の大きさ等に基づいて課金サーバー１４に対して課金情報を送信し、課金サーバー１４はその課金情報に基づいて携帯電話２０の利用者に対して料金を請求する。
【００２８】
以上のように本実施形態においては、携帯電話２０の現在位置をＧＰＳからの位置情報（緯度・経度）に基づいて自動的に把握して、利用者が希望する画像情報を、利用者の近傍に位置するプロジェクションシステム１３により大画面にて表示するようにしたので、次のような効果が得られている。
（ａ）上記のコンテンツをプロジェクションシステム１３により大画面にて表示するようにしたので、非常に見易いものとなっている。特に、利用者にとって、大画面で迫力のある映像が得られる。
（ｂ）携帯電話２０は位置情報及びコンテンツ情報を送信し、画像情報配信サーバー１５からコンテンツを送信するようにしたので、携帯電話２０の通信速度の制約や画面サイズの制約が解消されている。
（ｃ）携帯電話２０は制御信号を送信し、プロジェクションシステム１３がその制御信号により制御されるので、携帯電話２０はリモコンとして機能し、使い勝手のよいものとなっている。
（ｄ）携帯電話２０の利用者の位置情報は、コンテンツの送信を要求したときにのみ、利用者が契約した通信会社に把握されるだけであり、利用者が契約した通信会社以外には把握されず、且つ定常的に把握されるものではないので、その限りにおいてプライバシーが保護される。
（ｅ）プロジェクションシステム１３は、携帯電話２０からの画像配信要求があったときにそのコンテンツを表示しており、利用者にとって利用時間の制約がなく、利用者にとって有用である。また、携帯電話２０からの画像配信要求がないときには、店舗情報、各種広告（例えば、商品広告や企業広告等）や地域の情報を再生するＰＯＰ機能を有しており、このため、通信会社（携帯電話会社）にとっては、ＰＯＰシステムとして新しい広告媒体が得られる。また、通信会社は、携帯電話を利用して、大画面を提供する新しいサービスを提供することでき、事業の拡大につながる。
（ｆ）また、プロジェクションシステム１３を設置する側（店舗、地域等）にとっては、ＰＯＰ機能に上記の通信サービスが付加されることで、新たな集客効果が得られる。
（ｇ）大画面を実現する手段として、プロジェクションシステム１３を用いるようにしたので、設置に自由度があり、景観や店の雰囲気を損なわない。
（ｈ）また、プロジェクションシステム１３を含む設備のメンテナンスを通信会社側からバックアップしてもらうことにより、ＰＯＰシステムを安価に構築することができる。
【００２９】
実施形態２．
なお、上記の実施形態１においては、携帯電話２０及びプロジェクションシステム１３と、課金サーバー１４及び画像情報配信サーバー１５とを携帯電話会社のネットワーク１６を介して接続する例について説明したが、例えばインターネットを介して両者を接続してもよい。いずれにしても、携帯電話２０に対してコンテンツを送信する際には、画像情報配信サーバー１５を経由して送信する形態がとれればよい。
【００３０】
また、上記の実施形態１においては、携帯電話２０の位置情報に基づいてプロジェクションシステム１３を自動的に選択する例について説明したが、データベース３７に登録されたプロジェクションシステム１３の設置位置（サービスポイント）の情報を携帯電話２０の利用者に開放して、それを携帯電話２０の利用者が選択するような形式にしてもよい。また、表示装置の例としてプロジェクションシステムの例について説明したが、プラズマディスプレイや液晶ディスプレイを用いた他の形式の大型表示装置であってもよい。
【００３１】
また、プロジェクションシステム１３が固定位置に設定されている例について説明したが、電車等の移動体に表示装置を設置してもよい。その場合には、表示装置を搭載した移動体は、画像情報配信サーバー１５に対して自分の位置情報を定期的に送信する必要がある。画像情報配信サーバー１５は、携帯電話２０の位置情報と画像表示装置の位置情報とに基づいて、どの画像表示装置に画像情報を送信するかを決めることになる。また、携帯端末として携帯電話２０の例について説明したが、ＰＤＡ等の小型機器においても同様に適用される。
【図面の簡単な説明】
【００３２】
【図１】本発明の実施形態１に係る画像情報配信システムの構成図。
【図２】携帯電話とプロジェクションシステムとの関係を示した説明図。
【図３】画像情報配信サーバーを中核としたシステムの説明図。
【図４】データベースに格納されているデータを示した図。
【図５】画像情報配信サービスシステムの処理過程を示したフローチャート。
【符号の説明】
【００３３】
１０ 画像情報配信システム、１１ 画像表示装置、１２ 端末コンピュータ、１３ プロジェクションシステム、１４ 課金サーバー、１５ 画像情報配信サーバー、１６ ネットワーク、１７ ネットワーク、１８ コンテンツサーバー、２０ 携帯電話、３１ 携帯端末情報収集部、３２ 表示装置選択部、３３ 情報収集配信部、３４ 表示装置制御部、３５ 検閲部、３６ 課金処理部、３７ データベース。
【図１】
2005322131.tif 000003
【図２】
2005322131.tif 000004
【図３】
2005322131.tif 000005
【図４】
2005322131.tif 000006
【図５】
2005322131.tif 000007